(57)【特許請求の範囲】
【請求項１】
複数チャネルに多重した映像信号を再生するための切替処理を行う映像切替装置であって、
前記映像信号に重畳されたチャネル識別用のＩＤ信号の有無を検出するＩＤ検出手段と、
自装置に適合した自方式のＩＤ信号を生成するＩＤ信号生成手段と、
前記ＩＤ検出手段での検出結果と設定された動作モードとによって、動作状態を判定する状態判定手段と、
前記状態判定手段の判定結果に基づき、他方式のＩＤ信号が重畳された前記映像信号を再生するモードであって、かつ前記ＩＤ検出手段によって前記映像信号中にＩＤ信号が検出された場合、前記ＩＤ信号生成手段で生成した自方式のＩＤ信号側を選択し、それ以外の場合、前記映像信号が入力される再生入力端子側を選択するＩＤ選択手段と、
前記ＩＤ選択手段で選択されたＩＤ信号のＩＤ情報によって前記映像信号の切替処理を行う映像信号切替制御手段と
を備えたことを特徴とする映像切替装置。
【請求項２】
前記ＩＤ検出手段は、前記映像信号の垂直ブランキング期間において重畳された自方式又は他方式のＩＤ信号の有無を検出することを特徴とする請求項１記載の映像切替装置。
【請求項３】
前記映像信号切替制御手段は、前記映像信号においてＩＤ信号が検出されない場合は黒画像又は青画像を出力することを特徴とする請求項１記載の映像切替装置。
【請求項４】
複数チャネルに多重した映像信号を再生するための切替処理を行う映像切替装置であって、
前記映像信号の停止または継続を検出する映像停止検出手段と、
自装置に適合した自方式のＩＤ信号を生成するＩＤ信号生成手段と、
前記映像停止検出手段での検出結果と設定された動作モードとによって、動作状態を判定する状態判定手段と、
前記状態判定手段の判定結果に基づき、他方式のＩＤ信号が重畳された前記映像信号を再生するモードであって、かつ前記映像停止検出手段によって前記映像信号が継続していることが検出された場合、前記ＩＤ信号生成手段で生成した自方式のＩＤ信号側を選択し、それ以外の場合、前記映像信号が入力される再生入力端子側を選択するＩＤ選択手段と、
前記ＩＤ選択手段で選択されたＩＤ信号のＩＤ情報によって前記映像信号の切替処理を行う映像信号切替制御手段と
を備えたことを特徴とする映像切替装置。
【請求項５】
前記映像停止検出手段は、前記映像信号におけるＩＤ信号又は同期信号の状態によって前記映像信号の停止または継続を検出することを特徴とする請求項４記載の映像切替装置。
【請求項６】
前記映像信号切替制御手段は、前記映像信号の停止が検出された場合は黒画像又は青画像を出力することを特徴とする請求項４記載の映像切替装置。
【発明の詳細な説明】
【０００１】
【発明の属する技術分野】
本発明は、複数の映像信号入力を切替えて録画装置やモニタに出力する映像切替装置に関し、特にフレームやフィールド等の時間単位で多重された複数チャネルの映像信号入力を処理する映像切替装置に関する。
【０００２】
【従来の技術】
複数のビデオカメラの映像出力など、複数の映像信号を入力してフレームやフィールド等の時間単位でチャネル分割して多重し、ＶＴＲ等の録画装置に出力したり、録画装置で再生した多重映像信号を入力してチャネル毎に切り替えながらモニタに出力するフレームスイッチャーあるいはマルチプレクサ等と呼ばれる映像切替装置が用いられている。このような映像切替装置では、複数の映像信号を多重する場合に、一般に、各チャネルの映像信号にそれぞれ識別用のＩＤ信号を付加して多重し、録画装置で一つの映像信号として録画するようなことが行われている。多重した映像信号を再生する場合は、映像信号中に重畳されたＩＤ信号を読み取り、ＩＤ情報に基づいて映像信号の切り替えを行って設定されたチャネルの映像信号を抽出することで、同じＩＤ信号が重畳された映像信号のみをモニタへ出力するようになっている。このようにＩＤ信号を付加することにより、所定のチャネルの映像信号を選択して出力することができる。
【０００３】
このようなＩＤ信号は、製造メーカや装置の種類毎などで独自に仕様が設定されている。このため、当該装置と同一方式のＩＤ信号が重畳された多重映像信号は問題なく切替再生可能であるが、異なる方式のＩＤ信号が重畳された多重映像信号については、ＩＤ情報を認識できないので所定のチャネルの再生や映像切り替えが正常にできないという問題点があった。
【０００４】
この不具合を解決するため、異なる方式のＩＤ信号が重畳されて録画された多重映像信号を再生する場合に、当該装置と同一方式のＩＤ信号を付加し、この付加したＩＤ信号によって信号切り替えなどの再生制御を可能にした装置が提案されている。このように他方式の多重映像信号再生時に自方式のＩＤ信号を付加する映像切替装置の構成例を図４に示す。
【０００５】
映像切替装置５１は、ＩＤ検出回路５２、ＩＤ情報読取回路５３、再生／録画制御回路５４、映像信号を切り替えるセレクタ５５、ＩＤ発生回路５６、ＩＤ信号を切り替えるセレクタ５７を有して構成されている。再生入力端子５８には録画装置６２の出力端子が、録画出力端子５９には録画装置６２の入力端子が、モニタ出力端子６０にはモニタ６１がそれぞれ接続されている。
【０００６】
この例の映像切替装置５１は、再生を開始するにあたり、あらかじめ再生のモードがユーザにより図示しないメニュー設定部において設定され、設定モード信号が入力されるようになっている。ここで、自装置と同一方式のＩＤ信号が重畳された多重映像信号を再生する場合をＡモード、他方式のＩＤ信号が重畳された多重映像信号を再生する場合をＢモードとする。
【０００７】
Ａモードの場合、セレクタ５７の入力端は再生入力端子５８側に接続され、再生入力端子５８より入力された映像信号がセレクタ５７を介してＩＤ検出回路５２及びＩＤ情報読取回路５３に入力される。ＩＤ検出回路５２は、映像信号においてＩＤ信号の有無を検出し、検出結果に応じて切替制御信号をセレクタ５５に出力する。セレクタ５５は、ＩＤ信号が検出された（ＩＤ信号が重畳されている）場合は、再生／録画制御回路５４の出力の映像信号Ｓ２をモニタ出力端子６０に出力する。一方、ＩＤ信号が検出できない（ＩＤ信号が重畳されていない）場合は、再生入力端子５８より入力された映像信号Ｓ１をそのままモニタ出力端子６０に出力する。また、再生／録画制御回路５４の出力の映像信号Ｓ２は、録画出力端子５９にも出力される。
【０００８】
ＩＤ情報読取回路５３は、ＩＤ信号の内容を読み取ってそのＩＤ情報を再生／録画制御回路５４に出力する。再生／録画制御回路５４は、入力されたＩＤ情報に基づいて映像信号の処理を行う。例えば、フレーム又はフィールド毎にチャネル分割された多重映像信号のうち、ユーザにより指定された所定の同一ＩＤ情報が重畳された映像信号のみを抽出して出力する。また、ＩＤ情報が入力されない場合は、再生／録画制御回路５４は黒画像の映像信号を出力する。
【０００９】
Ｂモードの場合、セレクタ５７の入力端はＩＤ発生回路５６側に接続され、ＩＤ発生回路５６で生成した自方式のＩＤ信号がセレクタ５７を介してＩＤ検出回路５２及びＩＤ情報読取回路５３に入力される。ＩＤ検出回路５２は、このＩＤ発生回路５６で発生したＩＤ信号を検出し、切替制御信号をセレクタ５５に出力する。ＩＤ情報読取回路５３は、ＩＤ発生回路５６で発生したＩＤ信号を読み取ってＩＤ情報を再生／録画制御回路５４に出力する。再生／録画制御回路５４は、入力されたＩＤ情報に基づいて多重映像信号の中からＩＤ情報に対応するチャネルの映像信号を出力し、この映像信号Ｓ２がセレクタ５５を介してモニタ出力端子６０に出力される。このように、異なる方式のＩＤ信号が重畳された多重映像信号を再生する場合に、自方式のＩＤ信号を生成して付加することによって、多重された各チャネルの映像信号の切替制御が可能となる。
【００１０】
【発明が解決しようとする課題】
上述したような構成の映像切替装置５１では、Ｂモードでの再生時に、入力された映像信号Ｓ１に自方式のＩＤ信号を常時付加して再生するため、録画装置６２が再生停止したときも、付加されたＩＤ信号のＩＤ情報が再生／録画制御回路５４に入力される。このため、再生入力端子５８より入力された映像信号Ｓ１のうちのＩＤ情報に対応するチャネルが再生／録画制御回路５４から映像信号Ｓ２として出力され、録画出力端子５９から録画装置６２に入力される。
【００１１】
一方、録画装置６２は、再生停止時には入力端子に入力された信号を出力端子からそのまま出力する（スルーで出力する）構造になっている。このため、録画装置６２の再生が停止している状態で映像切替装置５１から映像信号（実際にはノイズ成分のみ）が入力端子に入力されると、この入力された映像信号が出力端子からそのまま出力されてまた映像切替装置５１の再生入力端子５８に入力される。つまり、映像切替装置５１がＢモードで動作しているときに録画装置６２において再生動作が停止すると、いわゆる信号経路のループが形成されるため、発振などの不具合が生じるおそれがある。
【００１２】
本発明は、上記事情に鑑みてなされたもので、自装置とは異なる方式のＩＤ信号が重畳された多重映像信号を再生可能であり、かつその異なる方式の再生モードにおいて発振などの不具合の発生を防止することが可能な映像切替装置を提供することを目的とする。
【００１３】
【課題を解決するための手段】
上記課題を解決するため、第１に、本発明による映像切替装置は、複数チャネルに多重した映像信号を再生するための切替処理を行う映像切替装置であって、前記映像信号に重畳されたチャネル識別用のＩＤ信号の有無を検出するＩＤ検出手段と、自装置に適合した自方式のＩＤ信号を生成するＩＤ信号生成手段と、前記ＩＤ検出手段での検出結果と設定された動作モードとによって、動作状態を判定する状態判定手段と、前記状態判定手段の判定結果に基づき、他方式のＩＤ信号が重畳された前記映像信号を再生するモードであって、かつ前記ＩＤ検出手段によって前記映像信号中にＩＤ信号が検出された場合、前記ＩＤ信号生成手段で生成した自方式のＩＤ信号側を選択し、それ以外の場合、前記映像信号が入力される再生入力端子側を選択するＩＤ選択手段と、前記ＩＤ選択手段で選択されたＩＤ信号のＩＤ情報によって前記映像信号の切替処理を行う映像信号切替制御手段とを備えたことを特徴とする。
【００１４】
第２に、好ましくは、前記ＩＤ検出手段は、前記映像信号の垂直ブランキング期間において重畳された自方式又は他方式のＩＤ信号の有無を検出することとする。
第３に、好ましくは、前記映像信号切替制御手段は、前記映像信号においてＩＤ信号が検出されない場合は黒画像又は青画像を出力することとする。
【００１５】
第４に、本発明による映像切替装置は、複数チャネルに多重した映像信号を再生するための切替処理を行う映像切替装置であって、前記映像信号の停止または継続を検出する映像停止検出手段と、自装置に適合した自方式のＩＤ信号を生成するＩＤ信号生成手段と、前記映像停止検出手段での検出結果と設定された動作モードとによって、動作状態を判定する状態判定手段と、前記状態判定手段の判定結果に基づき、他方式のＩＤ信号が重畳された前記映像信号を再生するモードであって、かつ前記映像停止検出手段によって前記映像信号が継続していることが検出された場合、前記ＩＤ信号生成手段で生成した自方式のＩＤ信号側を選択し、それ以外の場合、前記映像信号が入力される再生入力端子側を選択するＩＤ選択手段と、前記ＩＤ選択手段で選択されたＩＤ信号のＩＤ情報によって前記映像信号の切替処理を行う映像信号切替制御手段とを備えたことを特徴とする。
【００１６】
第５に、好ましくは、前記映像停止検出手段は、前記映像信号におけるＩＤ信号又は同期信号の状態によって前記映像信号の停止または継続を検出することとする。
第６に、好ましくは、前記映像信号切替制御手段は、前記映像信号の停止が検出された場合は黒画像又は青画像を出力することとする。
【００１７】
上記構成では、映像信号に重畳されているＩＤ信号の有無を検出するか、又は、映像信号の同期信号などによって映像信号の停止／継続を検出する。そして、他方式のＩＤ信号が重畳された映像信号を再生するモードであって、かつ映像信号中にＩＤ信号が検出された場合にのみ、自方式のＩＤ信号を付加して映像信号の切替処理を行う。これにより、他方式のＩＤ信号が重畳された多重映像信号の所定チャネルを適宜再生可能となる。
【００１８】
また、他方式のＩＤ信号が重畳された映像信号を再生するモードであって、ＩＤ信号が検出できない場合や映像信号の停止状態が検出された場合は、自方式のＩＤ信号を付加しないように動作制御し、映像信号の切替処理を行う。これにより、映像信号を再生する録画装置などの映像再生動作が停止し、録画装置において入力信号がそのまま出力されるような場合は、映像切替装置からは黒画像又は青画像が出力されるため、映像切替装置と録画装置との間で信号系路のループが形成されることがなく、発振などの異常動作の発生が防止される。
【００１９】
【発明の実施の形態】
以下、図面を参照して本発明の実施の形態を説明する。
図１は本発明の第１実施形態に係る映像切替装置の構成を示すブロック図、図２は映像切替装置を用いたビデオ監視装置の構成を示すブロック図である。
【００２０】
映像切替装置１０は、複数の映像信号を入力してフレームやフィールド等の時間単位でチャネル分割して多重したり、多重された映像信号を入力してチャネル毎に切り替えて所定チャネルの映像信号を出力するものであり、例えば、複数のカメラで撮影した映像を監視するビデオ監視装置に用いられる。
【００２１】
図２に示すように、ビデオ監視装置は、複数箇所に設置されたビデオカメラ３ａ，３ｂ，３ｃの映像出力が映像切替装置１０に接続されている。この映像切替装置１０には、映像を表示するモニタ１と、映像信号の記録／再生を行うＶＴＲ等の録画装置２とが接続されている。
【００２２】
ビデオカメラ３ａ，３ｂ，３ｃで撮像され出力された複数の映像信号は、映像切替装置１０において、各系統の映像信号をチャネルとし、フレーム又はフィールド毎に複数チャネルが順次切り替わるように時分割多重されて、一つの映像信号として出力される。このとき、後の再生時にそれぞれのチャネルの映像信号を識別可能なように、映像信号の垂直ブランキング期間においてチャネル識別用のＩＤ信号が重畳される。この多重映像信号は、録画装置２に出力されて記録される。また、映像切替装置１０からは所定のチャネルの映像信号がモニタ１に出力されて表示される。
【００２３】
図１に示すように、映像切替装置１０は、入力された映像信号におけるＩＤ信号の有無を検出するＩＤ検出回路１１と、設定動作モード及びＩＤ信号の状態に応じて自方式のＩＤ信号を付加するか否かを判定する状態判定回路１２と、自方式のＩＤ信号を発生するＩＤ発生回路１３と、状態判定回路１２の出力に基づいてＩＤ信号の選択切替を行うセレクタ１４とを備えている。また、自方式のＩＤ信号の有無を検出するＩＤ検出回路１５と、ＩＤ信号の内容を読み取ってそのＩＤ情報を出力するＩＤ情報読取回路１６と、入力されたＩＤ情報に基づいて映像信号の処理を行う再生／録画制御回路１７と、ＩＤ検出回路１５の出力に基づいて映像信号の選択切替を行うセレクタ１８とを備えている。そして、再生入力端子１９には録画装置２の出力端子が、録画出力端子２０には録画装置２の入力端子が、モニタ出力端子２１にはモニタ１がそれぞれ接続されている。
【００２４】
映像切替装置１０は、再生を開始するにあたり、あらかじめ再生のモードがユーザにより図示しないメニュー設定部において設定され、設定モード信号が入力されるようになっている。ここで、自装置と同一方式のＩＤ信号が重畳された多重映像信号を再生する場合をＡモード、他方式のＩＤ信号が重畳された多重映像信号を再生する場合をＢモードとする。
【００２５】
ＩＤ検出回路１１は、請求項記載のＩＤ検出手段に相当するものであり、再生入力端子１９から入力された映像信号において、垂直ブランキング期間にＩＤ信号が存在するか否かを検出し、ＩＤ信号の有無の検出結果を状態判定回路１２に出力する。このＩＤ検出回路１１では、垂直ブランキング期間に存在するＩＤ信号を自方式、他方式に関わらず検出する。例えば、垂直ブランキング期間において数Ｈ分（Ｈは１水平期間）の映像信号レベルを監視し、ローレベル状態が続いているか否かでＩＤ信号の有無を判定する。これにより、録画装置２からの入力映像信号にＩＤ信号が重畳されている場合と、入力映像信号に元々ＩＤ信号が重畳されていない場合あるいは録画装置２の再生動作が停止している場合との２つの状態が判定可能となる。
【００２６】
状態判定回路１２は、請求項記載の状態判定手段に相当するものであり、ＡＮＤ（論理積）回路などで構成される。この状態判定回路１２は、ユーザにより図示しないメニュー設定部において設定された動作モードに応じて制御回路から入力される設定モード信号（Ａモード又はＢモード）とＩＤ検出回路１１でのＩＤ検出結果とに基づいて、ＩＤ選択手段に相当するセレクタ１４に切替制御信号を出力する。ここで、設定モード信号は、Ａモードの場合にローレベル、Ｂモードの場合にハイレベルとし、ＩＤ検出回路１１の出力は、「ＩＤ検出」の場合にハイレベル、「ＩＤ未検出」の場合にローレベルとする。
【００２７】
本実施形態では、他方式のＩＤ信号が重畳された多重映像信号を再生するＢモードであって、かつ、映像信号に重畳されたＩＤ信号（この場合は他方式のＩＤ信号）が検出された場合（状態判定回路１２からの切替制御信号がハイレベルの場合）に、セレクタ１４によって、ＩＤ信号生成手段に相当するＩＤ発生回路１３により生成したＩＤ信号（ＩＤ−β：自方式のＩＤ信号）を選択し、これを映像信号に付加したＩＤ信号として用いるようにする。その他の場合、すなわち、自装置と同一方式のＩＤ信号が重畳された多重映像信号を再生するＡモードの場合やＢモードであっても垂直ブランキング期間においてＩＤ信号が検出されない場合（状態判定回路１２からの切替制御信号がローレベルの場合）は、セレクタ１４で再生入力端子１９から入力された映像信号を選択し、映像信号に予め重畳されているＩＤ信号（ＩＤ−α）を用いるようにする。
【００２８】
なお、ＩＤ検出回路１１、状態判定回路１２、ＩＤ発生回路１３等は、ＦＰＧＡなどの同一の半導体デバイス上に構成することが可能である。よって、ＦＰＧＡの場合は回路構成のプログラム内容を若干変更するだけでＩＤ検出回路１１及び状態判定回路１２の構成を追加して設けることができる。
【００２９】
ＩＤ検出回路１５は、映像信号においてＩＤ信号が重畳されているか否かを検出し、ＩＤ信号の有無の検出結果に応じて切替制御信号をセレクタ１８に出力する。このＩＤ検出回路１５では、垂直ブランキング期間に重畳された自方式のＩＤ信号のみを検出する。なお、ＩＤ検出回路１５は前記のＩＤ検出回路１１と兼用する構成にすることも可能である。セレクタ１８は、自方式のＩＤ信号が検出された（ＩＤ信号が重畳されている）場合は、再生／録画制御回路１７の出力の映像信号Ｓ２をモニタ出力端子２１に出力する。一方、自方式のＩＤ信号が検出できない（ＩＤ信号が重畳されていない）場合は、再生入力端子１９より入力された映像信号Ｓ１をそのままモニタ出力端子２１に出力する。また、再生／録画制御回路１７の出力の映像信号Ｓ２は、録画出力端子２０にも出力される。
【００３０】
ＩＤ情報読取回路１６は、ＩＤ信号の内容を読み取ってそのＩＤ情報を再生／録画制御回路１７に出力する。再生／録画制御回路１７は、請求項記載の映像信号切替制御手段に相当するもので、入力されたＩＤ情報に基づいて映像信号の処理を行う。例えば、フレーム又はフィールド毎にチャネル分割された多重映像信号のうち、ユーザにより指定された所定の同一ＩＤ情報が重畳された映像信号のみを抽出して出力する。また、ＩＤ情報が入力されない場合は、再生／録画制御回路１７は黒画像又は青画像の映像信号を出力する。
【００３１】
本実施形態の映像切替装置１０では、多重映像信号の再生動作において次の４つの動作状態が考えられる。
（１）ＡモードでＩＤ信号検出の場合
ユーザによりＡモードが設定され、ＩＤ検出回路１１によって再生入力端子１９から入力された映像信号の垂直ブランキング期間においてＩＤ信号が検出された場合である。録画装置２で自方式のＩＤ信号が重畳されている多重映像信号を再生して映像切替装置１０に入力し、この映像信号の所定のチャネルをＩＤ情報に基づいて切替抽出して再生表示する場合に相当する。この場合、状態判定回路１２より切替制御信号としてローレベルが出力され、セレクタ１４で再生入力端子１９側、すなわち入力映像信号における原ＩＤ信号ＩＤ−αが選択される。
【００３２】
（２）ＡモードでＩＤ信号未検出の場合
ユーザによりＡモードが設定され、ＩＤ検出回路１１によって再生入力端子１９から入力された映像信号の垂直ブランキング期間においてＩＤ信号が検出されない場合である。録画装置２で再生され映像切替装置１０に入力された映像信号にＩＤ信号が重畳されていない場合、あるいは、録画装置２の再生動作が停止している場合（映像信号が無信号状態の場合）に相当する。この場合も、状態判定回路１２より切替制御信号としてローレベルが出力され、セレクタ１４で再生入力端子１９側、すなわち入力映像信号における原ＩＤ信号ＩＤ−αが選択される。
【００３３】
（３）ＢモードでＩＤ信号検出の場合
ユーザによりＢモードが設定され、ＩＤ検出回路１１によって再生入力端子１９から入力された映像信号の垂直ブランキング期間においてＩＤ信号が検出された場合である。録画装置２で他方式のＩＤ信号が重畳されている多重映像信号を再生して映像切替装置１０に入力し、この映像信号の所定のチャネルをＩＤ情報に基づいて切替抽出して再生表示する場合に相当する。この場合、状態判定回路１２より切替制御信号としてハイレベルが出力され、セレクタ１４でＩＤ発生回路１３側、すなわち自方式の生成ＩＤ信号ＩＤ−βが選択される。
【００３４】
（４）ＢモードでＩＤ信号未検出の場合
ユーザによりＢモードが設定され、ＩＤ検出回路１１によって再生入力端子１９から入力された映像信号の垂直ブランキング期間においてＩＤ信号が検出されない場合である。録画装置２で再生され映像切替装置１０に入力された映像信号にＩＤ信号が重畳されていない場合、あるいは、録画装置２の再生動作が停止している場合（映像信号が無信号状態の場合）に相当する。この場合、状態判定回路１２より切替制御信号としてローレベルが出力され、セレクタ１４で再生入力端子１９側、すなわち入力映像信号における原ＩＤ信号ＩＤ−αが選択される。
【００３５】
次に、本実施形態に係る映像切替装置１０の再生時の動作をより詳細に説明する。
録画装置２において再生された映像信号は映像切替装置１０に入力され、上記の設定モードやＩＤ信号の有無などの状態に応じて切替制御処理が行われ、映像信号出力がモニタ１や録画装置２に出力される。
【００３６】
Ａモードの場合、すなわち上記の（１），（２）の状態の場合、状態判定回路１２からの切替制御信号はローレベルであるため、セレクタ１４の入力端は再生入力端子１９側に接続され、再生入力端子１９より入力された映像信号（原ＩＤ信号ＩＤ−αを含む）がセレクタ１４を介してＩＤ検出回路１５及びＩＤ情報読取回路１６に入力される。ここで、ＩＤ検出回路１５で映像信号に重畳されたＩＤ信号が検出された場合（上記の（１）の状態に相当）は、再生／録画制御回路１７の出力の映像信号Ｓ２がセレクタ１８を介してモニタ出力端子２１から出力され、モニタ１に送出される。このとき、ＩＤ情報読取回路１６においてＩＤ信号の内容が読み取られてＩＤ情報として再生／録画制御回路１７に出力される。そして、再生／録画制御回路１７において、例えばフレーム又はフィールド毎にチャネル分割された多重映像信号のうち、ユーザにより指定された所定の同一ＩＤ情報が重畳されたチャネルの映像信号のみが選択的に取り出され、セレクタ１８に出力される。なお、再生／録画制御回路１７の出力の映像信号Ｓ２は録画出力端子２０にも出力され、録画装置２に送出される。
【００３７】
一方、ＩＤ検出回路１５でＩＤ信号が検出されず、ＩＤ情報読取回路１６でＩＤ情報が得られない場合（上記の（２）の状態に相当）は、再生入力端子１９に入力された映像信号Ｓ１がそのままセレクタ１８を介してモニタ出力端子２１から出力される。またこのとき、再生／録画制御回路１７からは黒画像又は青画像の映像信号が出力され、この映像信号が録画出力端子２０から録画装置２に送出される。すなわち、映像信号にＩＤ信号が重畳されていない場合又は録画装置２が停止状態の場合、再生／録画制御回路１７から録画装置２へは黒画像又は青画像の映像信号が出力される。したがって、録画装置２が停止状態となって入力端子への入力信号がそのまま出力端子から出力されても、録画装置２と映像切替装置１０との間で映像信号系路がループになることはない。
【００３８】
ＢモードでＩＤ信号が検出された場合、すなわち上記の（３）の状態の場合、状態判定回路１２からの切替制御信号はハイレベルであるため、セレクタ１４の入力端はＩＤ発生回路１３側に接続され、ＩＤ発生回路１３で生成された自方式のＩＤ信号がセレクタ１４を介してＩＤ検出回路１５及びＩＤ情報読取回路１６に入力される。この場合、ＩＤ検出回路１５でＩＤ発生回路１３からのＩＤ信号ＩＤ−βが検出され、再生／録画制御回路１７の出力の映像信号Ｓ２がセレクタ１８を介してモニタ出力端子２１から出力され、モニタ１に送出される。このとき、再生／録画制御回路１７からは、ＩＤ情報読取回路１６で読み取られたＩＤ情報に基づき、例えばユーザにより指定された所定の同一ＩＤ情報が重畳されたチャネルの映像信号のみが抽出されてセレクタ１８に出力される。このように、当該装置の仕様とは異なる他方式のＩＤ信号が重畳された多重映像信号であっても、自方式のＩＤ信号を生成して映像信号に対応づけることによって、多重映像信号の切替制御が可能であり、所定のチャネルの再生が可能となる。
【００３９】
ＢモードでＩＤ信号が検出されない場合、すなわち上記の（４）の状態の場合、状態判定回路１２からの切替制御信号はローレベルであるため、セレクタ１４の入力端は再生入力端子１９側に接続され、再生入力端子１９より入力された映像信号がセレクタ１４を介してＩＤ検出回路１５及びＩＤ情報読取回路１６に入力される。この場合、ＩＤ検出回路１５でＩＤ信号が検出されないため、再生入力端子１９に入力された映像信号Ｓ１がそのままセレクタ１８を介してモニタ出力端子２１から出力される。またこのとき、再生／録画制御回路１７からは黒画像又は青画像の映像信号が出力され、この映像信号が録画出力端子２０から録画装置２に送出される。よって、録画装置２が停止状態となって入力端子への入力信号がそのまま出力端子から出力されても、録画装置２と映像切替装置１０との間で映像信号系路がループになることはない。
【００４０】
上述したように、本実施形態では、他方式のＩＤ信号が重畳された多重映像信号を再生するために映像切替装置１０において自方式のＩＤ信号を付加する際、映像信号の垂直ブランキング期間にＩＤ信号が存在するか否かを検出し、他方式のＩＤ信号が重畳されている場合にのみＩＤ発生回路１３で生成したＩＤ信号を用いて多重映像信号の処理を行うようにしている。このため、元々ＩＤ信号が重畳されていないのに他方式のＩＤ信号が重畳された多重映像信号の再生を行うＢモードが選択された場合や、録画装置２の再生動作が停止した場合に、自方式のＩＤ信号を強制的に付加して映像信号の切替処理を行うようなことが防止される。したがって、録画装置２において再生動作が停止した場合など、入力信号がそのままスルーで出力端子より出力されるような場合に、信号系路のループが形成されることはなく、発振などの不具合が発生することを抑止できる。
【００４１】
図３は本発明の第２実施形態に係る映像切替装置の構成を示すブロック図である。上述したように、映像切替装置に接続した録画装置の再生動作が停止し入出力端子間がスルーとなったときに、ＩＤ信号を付加して切替制御を行うと、信号系路にループが形成されて発振等を引き起こすおそれがある。そこで、第２実施形態では、映像信号の停止状態を検出する映像停止検出手段を設け、Ｂモードで映像信号の停止が検出されたときには自方式のＩＤ信号を付加しないようにする構成例を示す。
【００４２】
第２実施形態の映像切替装置３０は、第１実施形態のＩＤ検出回路１１に代えて映像停止検出手段に相当する映像信号停止検出回路３１が設けられている。この映像信号停止検出回路３１は、例えば映像信号の同期信号を検出して、そのジッタ成分などから実際に映像信号が入力されているか否かを判定することにより、映像信号の停止状態を検出するものである。映像信号停止検出回路３１の出力は、映像信号が継続している場合はハイレベル、映像信号の停止が検出された場合はローレベルとなり、この検出結果が状態判定回路１２に入力される。その他の構成及び作用は第１実施形態と同様であり、ここでは説明を省略する。
【００４３】
このように第２実施形態では、映像信号の停止状態を検出して、Ｂモードが設定された場合であっても、録画装置２からの映像信号の入力が停止している場合は、ＩＤ発生回路１３で生成したＩＤ信号を付加せずに映像信号の切替制御も行わないようにする。Ｂモードが設定され映像信号の入力が継続している場合のみにＩＤ発生回路１３で生成したＩＤ信号を用いて多重映像信号の処理を行う。これによって、第１実施形態と同様に、信号系路のループが形成されることを無くし、発振などの異常動作の発生を防ぐことが可能となる。また、装置の状態をより適切に把握することも可能である。
【００４４】
【発明の効果】
以上説明したように本発明によれば、自装置とは異なる方式のＩＤ信号が重畳された多重映像信号を再生可能であり、かつその異なる方式の再生モードにおいて発振などの不具合の発生を防止することが可能な映像切替装置を提供できるものである。
【図面の簡単な説明】
【図１】本発明の第１実施形態に係る映像切替装置の構成を示すブロック図である。
【図２】本実施形態の映像切替装置を用いたビデオ監視装置の構成を示すブロック図である。
【図３】本発明の第２実施形態に係る映像切替装置の構成を示すブロック図である。
【図４】従来例の映像切替装置の構成を示すブロック図である。
【符号の説明】
１  モニタ
２  録画装置
１０，３０  映像切替装置
１１，１５  ＩＤ検出回路
１２  状態判定回路
１３  ＩＤ発生回路
１４，１８  セレクタ
１６  ＩＤ情報読取回路
１７  再生／録画制御回路
１９  再生入力端子
２０  録画出力端子
２１  モニタ出力端子
【図１】
0003654509.tif 000002
【図２】
0003654509.tif 000003
【図３】
0003654509.tif 000004
【図４】
0003654509.tif 000005